(57)【要約】      （修正有）【課題】蓋外フラップを蓋内フラップに容易に係合することができると共に、箱体の蓋部の強度を維持しやすい箱用シートを提供する。【解決手段】箱用シート１０は、第１蓋外フラップ３ａが、幅方向の両側の先端縁から延出する一対の突片１１ｂを有し、一対の蓋内フラップ４ａ、４ｂが、基端縁に沿って延びる第１切込み１２ａ、１２ｂと、この第１切込みと平行な第２切込み１３ａ、１３ｂと、第１切込み及び第２切込みの組立時に第２蓋外フラップ３ｂ側に位置する端部同士を接続する第３切込み１４ａ、１４ｂとによって形成され、組立時に突片が挿入されるスリット１５ａ、１５ｂと、第１切込み及び第２切込みの組立時に第１蓋外フラップ側に位置する端部同士を接続する折り曲げ容易線１６ａ、１６ｂとを有し、第３切込みが、蓋内フラップの基端側から先端側に向けて組立時に第２蓋外フラップが位置する側に傾斜している。【選択図】図１
0003226503.tif 000002
【実用新案登録請求の範囲】
【請求項１】
組立状態で互いに対向し、上下に開口を有する四角筒状に組み立てられる一対の長さ面パネル及び一対の幅面パネルと、
一方の上記長さ面パネルの上縁から延出する第１蓋外フラップと、
他方の上記長さ面パネルの上縁から延出する第２蓋外フラップと、
上記一対の幅面パネルの上縁から延出する一対の蓋内フラップと
を備え、箱型に組み立て可能な箱用シートであって、
上記第１蓋外フラップが、幅方向の両側の先端縁から延出する一対の突片を有し、
上記一対の蓋内フラップが、
基端縁に沿って延びる第１切込みと、この第１切込みと平行な第２切込みと、上記第１切込み及び上記第２切込みの組立時に上記第２蓋外フラップ側に位置する端部同士を接続する第３切込みとによって形成され、組立時に上記突片が挿入されるスリットと、
上記第１切込み及び上記第２切込みの組立時に上記第１蓋外フラップ側に位置する端部同士を接続する折り曲げ容易線と
を有し、
上記第３切込みが、上記蓋内フラップの基端側から先端側に向けて組立時に上記第２蓋外フラップが位置する側に傾斜している箱用シート。
【請求項２】
上記折り曲げ容易線が、上記蓋内フラップの基端側から先端側に向けて組立時に上記第２蓋外フラップが位置する側に傾斜している請求項１に記載の箱用シート。
【請求項３】
上記第１切込みが上記第２切込みよりも長い請求項１又は請求項２に記載の箱用シート。
【請求項４】
上記蓋内フラップの基端縁に対する上記折り曲げ容易線の傾斜角度が、上記蓋内フラップの基端縁に対する上記第３切込みの傾斜角度よりも小さい請求項１、請求項２又は請求項３に記載の箱用シート。
【請求項５】
上記突片のエッジがアーチ状である請求項１から請求項４のいずれか１項に記載の箱用シート。
【考案の詳細な説明】
【技術分野】
【０００１】
本考案は、箱用シートに関する。
【背景技術】
【０００２】
段ボールシート等から組み立てられる箱体が、物品の保管、運搬等に広く用いられている。この段ボールシートとしては、左右方向に交互に連接され、四角筒状に組み立てられる一対の長さ面パネル及び一対の幅面パネルと、一対の長さ面パネルの上縁から延出する一対の蓋外フラップと、一対の幅面パネルの上縁から延出する一対の蓋内フラップとを備え、一対の長さ面パネル及び一対の幅面パネルを四角筒状に組み立てたうえ、一対の蓋内フラップを内側に折り曲げ、さらに一対の蓋外フラップを内側に折り曲げて蓋部を形成するものが広く採用されている。
【０００３】
この段ボールシートとしては、蓋部を容易に閉塞できるよう、蓋外フラップの幅方向の両側の先端縁に一対の突片を設け、これらの突片を蓋内フラップに設けられたスリットに挿入させる構成のものが発案されている（実開平０２−８０５２１号公報参照）。
【先行技術文献】
【特許文献】
【０００４】
【特許文献１】実開平０２−８０５２１号公報
【考案の概要】
【考案が解決しようとする課題】
【０００５】
上記公報には、蓋外フラップの先端辺の両端側に第１の舌片部を設け、かつこの蓋外フラップに幅方向に横断する折り目を設けると共に、一対の蓋内フラップに第１の舌片部が挿入されるスリットを設けた構成が記載されている。上記公報には、蓋外フラップに形成された折り目を折り曲げ、一対の第１の舌片部をそれぞれスリットに挿入することで箱体の蓋部を形成することが記載されている。
【０００６】
しかしながら、この構成によると、箱体の蓋部を横断する折り目が設けられることに起因して、蓋部の強度が小さくなりやすい。
【０００７】
本考案は、このような不都合に鑑みてなされたものであり、蓋外フラップを蓋内フラップに容易に係合することができると共に、箱体の蓋部の強度を維持しやすい箱用シートを提供することを目的とする。
【課題を解決するための手段】
【０００８】
上記課題を解決するためになされた本考案の一態様に係る箱用シートは、組立状態で互いに対向し、上下に開口を有する四角筒状に組み立てられる一対の長さ面パネル及び一対の幅面パネルと、一方の上記長さ面パネルの上縁から延出する第１蓋外フラップと、他方の上記長さ面パネルの上縁から延出する第２蓋外フラップと、上記一対の幅面パネルの上縁から延出する一対の蓋内フラップとを備え、箱型に組み立て可能な箱用シートであって、上記第１蓋外フラップが、幅方向の両側の先端縁から延出する一対の突片を有し、上記一対の蓋内フラップが、基端縁に沿って延びる第１切込みと、この第１切込みと平行な第２切込みと、上記第１切込み及び上記第２切込みの組立時に上記第２蓋外フラップ側に位置する端部同士を接続する第３切込みとによって形成され、組立時に上記突片が挿入されるスリットと、上記第１切込み及び上記第２切込みの組立時に上記第１蓋外フラップ側に位置する端部同士を接続する折り曲げ容易線とを有し、上記第３切込みが、上記蓋内フラップの基端側から先端側に向けて組立時に上記第２蓋外フラップが位置する側に傾斜している。
【考案の効果】
【０００９】
本考案の一態様に係る箱用シートは、蓋外フラップを蓋内フラップに容易に係合することができると共に、箱体の蓋部の強度を維持しやすい。
【図面の簡単な説明】
【００１０】
【図１】図１は、本考案の一実施形態に係る箱用シートを示す模式的平面図である。
【図２】図２は、図１の箱用シートを組み立ててなる箱体の模式的斜視図である。
【図３】図３は、図１の箱用シートの第１蓋外フラップに設けられる一対の突片を一対の蓋内フラップに設けられるスリットに挿入する途中の状態を示す模式的平面図である。
【図４】図４は、図３の状態のＩＶ−ＩＶ線断面図である。
【図５】図５は、図１の箱用シートの第１蓋外フラップに設けられる一対の突片を一対の蓋内フラップに設けられるスリットに挿入した状態を示す模式的平面図である。
【考案を実施するための形態】
【００１１】
［本考案の実施形態の説明］
最初に本考案の実施態様を列記して説明する。
【００１２】
本考案の一態様に係る箱用シートは、組立状態で互いに対向し、上下に開口を有する四角筒状に組み立てられる一対の長さ面パネル及び一対の幅面パネルと、一方の上記長さ面パネルの上縁から延出する第１蓋外フラップと、他方の上記長さ面パネルの上縁から延出する第２蓋外フラップと、上記一対の幅面パネルの上縁から延出する一対の蓋内フラップとを備え、箱型に組み立て可能な箱用シートであって、上記第１蓋外フラップが、幅方向の両側の先端縁から延出する一対の突片を有し、上記一対の蓋内フラップが、基端縁に沿って延びる第１切込みと、この第１切込みと平行な第２切込みと、上記第１切込み及び上記第２切込みの組立時に上記第２蓋外フラップ側に位置する端部同士を接続する第３切込みとによって形成され、組立時に上記突片が挿入されるスリットと、上記第１切込み及び上記第２切込みの組立時に上記第１蓋外フラップ側に位置する端部同士を接続する折り曲げ容易線とを有し、上記第３切込みが、上記蓋内フラップの基端側から先端側に向けて組立時に上記第２蓋外フラップが位置する側に傾斜している。
【００１３】
当該箱用シートは、一対の蓋内フラップが、基端縁に沿って延びる第１切込みと、この第１切込みと平行な第２切込みと、上記第１切込み及び上記第２切込みの組立時に第２蓋外フラップ側に位置する端部同士を接続する第３切込みとによって形成され、組立時に上記突片が挿入されるスリットと、上記第１切込み及び上記第２切込みの組立時に上記第１蓋外フラップ側に位置する端部同士を接続する折り曲げ容易線とを有している。これにより、上記一対の蓋内フラップには、上記スリット及び上記折り曲げ容易線によって画定される舌片が形成されている。当該箱用シートは、第１蓋外フラップに設けられる一対の突片を上記スリットに挿入することで、上記一対の突片を蓋内フラップの本体と上記舌片との間に挟み込むことができる。また、当該箱用シートは、上記第３切込みが、上記蓋内フラップの基端側から先端側に向けて組立時に上記第２蓋外フラップが位置する側に傾斜しているので、上記一対の突片を上記第３切込みのエッジに沿って挿入しやすい。そのため、当該箱用シートは、上記第１蓋外フラップに幅方向に横断する折り目を設けなくても、上記第１蓋外フラップを上記一対の蓋内フラップに容易に係合することができる。これにより、当該箱用シートは、箱体の蓋部の強度を維持しやすい。
【００１４】
上記折り曲げ容易線が、上記蓋内フラップの基端側から先端側に向けて組立時に上記第２蓋外フラップが位置する側に傾斜しているとよい。このように、上記折り曲げ容易線が、上記蓋内フラップの基端側から先端側に向けて組立時に上記第２蓋外フラップが位置する側に傾斜していることで、シートの反力を利用して上記一対の突片を上記本体と上記舌片との間に挟みやすい。
【００１５】
上記第１切込みが上記第２切込みよりも長いとよい。このように、上記第１切込みが上記第２切込みよりも長いことによって、上記一対の突片を上記スリットに挿入しやすいと共に、上記一対の突片を上記スリットに挿入した状態で、上記一対の突片を上記本体と上記舌片とによって挟持しやすい。
【００１６】
上記蓋内フラップの基端縁に対する上記折り曲げ容易線の傾斜角度が、上記蓋内フラップの基端縁に対する上記第３切込みの傾斜角度よりも小さいとよい。このように、上記蓋内フラップの基端縁に対する上記折り曲げ容易線の傾斜角度が、上記蓋内フラップの基端縁に対する上記第３切込みの傾斜角度よりも小さいことによって、上記一対の突片を上記スリットに容易に挿入できると共に、上記一対の突片を上記スリットに挿入した状態で、上記一対の突片の上記スリットからの抜けを抑制しやすい。
【００１７】
上記突片のエッジがアーチ状であるとよい。このように、上記突片のエッジがアーチ状であることで、上記一対の突片を上記スリットに容易に挿入することができる。
【００１８】
なお、本考案において、「上」及び「下」とは、箱用シートを組み立ててなる箱体の想定される一般的な使用態様における上下を意味する。「突片のエッジがアーチ状」とは、突片の先端縁が円弧状、弓形等の曲線状であることをいい、この先端縁の両端部から突片の基端縁に亘って直線状に延びる部分を有する形状を含む。
【００１９】
［本考案の実施形態の詳細］
以下、適宜図面を参照しつつ、本考案の実施の形態を詳説する。
【００２０】
［箱用シート］
図１の箱用シート１０は、１枚のシートからなる。当該箱用シート１０は、組立状態で対向し、上下に開口を有する四角筒状に組み立てられる一対の長さ面パネル（第１長さ面パネル１ａ及び第２長さ面パネル１ｂ）並びに一対の幅面パネル（第１幅面パネル２ａ及び第２幅面パネル２ｂ）と、第１長さ面パネル１ａの上縁から延出する第１蓋外フラップ３ａと、第２長さ面パネル１ｂの上縁から延出する第２蓋外フラップ３ｂと、第１幅面パネル２ａの上縁から延出する第１蓋内フラップ４ａと、第２幅面パネル２ｂの上縁から延出する第２蓋内フラップ４ｂとを備える。第２長さ面パネル１ｂ、第２幅面パネル２ｂ、第１長さ面パネル１ａ及び第１幅面パネル２ａは、左右方向の一方側から他方側にこの順で連接されている。また、当該箱用シート１０は、第１長さ面パネル１ａの下縁から延出する第１底外フラップ５ａと、第２長さ面パネル１ｂの下縁から延出する第２底外フラップ５ｂと、第１幅面パネル２ａの下縁から延出する第１底内フラップ６ａと、第２幅面パネル２ｂの下縁から延出する第２底内フラップ６ｂと、一対の長さ面パネルのうち、左右方向外側（本実施形態では左右方向左側）に位置する第２長さ面パネル１ｂの外側の側縁から延出する糊代７とを備える。なお、「左右方向」とは、箱用シートを組み立ててなる箱体の想定される一般的な使用態様における水平方向を意味する。また、図１において、太い実線はシートを切断して形成される切断線を示し、細い実線はシートの片面を筋押しして形成される罫線を示す。
【００２１】
第１蓋外フラップ３ａは、本体１１ａと、本体１１ａの幅方向の両側の先端縁から延出する一対の突片１１ｂとを有する。第２蓋外フラップ３ｂは、本体１８ａと、本体１８ａの先端縁の中央部分から突出する凸部１８ｂとを有する。第１蓋内フラップ４ａ及び第２蓋内フラップ４ｂは、基端縁（第１幅面パネル２ａ及び第２幅面パネル２ｂとの境界線）に沿って延びる第１切込み１２ａ、１２ｂと、第１切込み１２ａ、１２ｂと平行な第２切込み１３ａ、１３ｂと、第１切込み１２ａ、１２ｂ及び第２切込み１３ａ、１３ｂの組立時に第２蓋外フラップ３ｂ側に位置する端部同士を接続する第３切込み１４ａ、１４ｂとによって形成され、組立時に突片１１ｂが挿入されるスリット１５ａ、１５ｂを有する。また、第１蓋内フラップ４ａ及び第２蓋内フラップ４ｂは、第１切込み１２ａ、１２ｂ及び第２切込み１３ａ、１３ｂの組立時に第１蓋外フラップ３ａ側に位置する端部同士を接続する折り曲げ容易線１６ａ、１６ｂを有する。第１蓋内フラップ４ａ及び第２蓋内フラップ４ｂには、第１切込み１２ａ、１２ｂ、第２切込み１３ａ、１３ｂ、第３切込み１４ａ、１４ｂ及び折り曲げ容易線１６ａ、１６ｂによって舌片１９ａ、１９ｂが画定されている。
【００２２】
当該箱用シート１０は、箱型に組み立て可能であり、具体的には図２の箱体３０に組み立て可能に構成される。当該箱用シート１０を箱体３０に組み立てる手順について説明する。まず、左右方向外側（本実施形態では左右方向左側）に位置する第２長さ面パネル１ｂをこの第２長さ面パネル１ｂに連接される第２幅面パネル２ｂの内面に折り重ね、左右方向外側（本実施形態では左右方向右側）に位置する第１幅面パネル２ａをこの第１幅面パネル２ａに連接される第１長さ面パネル１ａの内面に折り重ね、糊代７を折り重ねられた第１幅面パネル２ａの内面に貼着する。また、この際、第１底外フラップ５ａの第１底内フラップ６ａ側に設けられる折り曲げ片１７ａを折り曲げた状態で第１底内フラップ６ａに貼着し、第２底外フラップ５ｂの第２底内フラップ６ｂ側に設けられる折り曲げ片１７ｂを折り曲げた状態で第２底内フラップ６ｂに貼着した状態で、一対の底外フラップ及び一対の底内フラップを一対の長さ面パネル及び一対の幅面パネルの内面側に折り重ねておく。この状態で、無端状に接続された第２長さ面パネル１ｂ、第２幅面パネル２ｂ、第１長さ面パネル１ａ及び第１幅面パネル２ａを四角筒状に広げ、箱体３０の胴部３１を形成する。この際、第１底外フラップ５ａと第１底内フラップ６ａとの連結片、及び第２底外フラップ５ｂと第２底内フラップ６ｂとの連結片がそれぞれ胴部３１の下部開口を塞ぐように水平方向に折れ曲がり、第１底外フラップ５ａ及び第２底外フラップ５ｂの先端縁同士が咬合して箱体３０の底部３２が形成される。
【００２３】
次に、箱体３０内に所望の物品を収容したうえ、第１蓋内フラップ４ａ及び第２蓋内フラップ４ｂを第１幅面パネル２ａ及び第２幅面パネル２の内側に略垂直に折り曲げる。続いて、図３及び図４に示すように、第１蓋外フラップ３ａの本体１１ａを第１長さ面パネル１ａの内側に折り曲げると共に、一対の突片１１ｂの基端縁を折り曲げて一対の突片１１ｂを舌片１９ａ、１９ｂに当接しつつ先端側からスリット１５ａ、１５ｂに挿入する。さらに、図５に示すように、第１蓋外フラップ３ａの本体１１ａを第１長さ面パネル１ａに対して略垂直に折り曲げることで、一対の突片１１ｂをスリット１５ａ、１５ｂに完全に挿入する。その後、第２蓋外フラップ３ｂを第２長さ面パネル１ｂに対して内側に略垂直に折り曲げ、凸部１８ｂを第１蓋外フラップ３ａの本体１１ａの内側に差し込むことで、箱体３０の蓋部３３が形成される。
【００２４】
当該箱用シート１０に用いられるシートとしては、当該箱用シート１０を組み立ててなる箱体３０の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シート１０を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。この両面段ボールシートの厚さとしては、特に限定されるものではなく、例えば０．９ｍｍ以上８ｍｍ以下程度とすることができる。中でも、上記厚さとしては、１．５ｍｍ（Ｅフルート）が好ましい。
【００２５】
（長さ面パネル）
第１長さ面パネル１ａ及び第２長さ面パネル１ｂは矩形状かつ略同一形状に形成されている。第１長さ面パネル１ａ及び第２長さ面パネル１ｂの左右方向長さは第１幅面パネル２ａ及び第２幅面パネル２ｂの左右方向長さよりも大きい。
【００２６】
第１長さ面パネル１ａ及び第２長さ面パネル１ｂの左右方向長さとしては、箱体３０に収容する物品の大きさ等に基づいて適宜設定可能であるが、例えば１５ｃｍ以上４０ｃｍ以下とすることができる。第１長さ面パネル１ａ及び第２長さ面パネル１ｂの上下方向長さとしては、箱体３０に収容する物品の大きさ等に基づいて適宜設定可能であるが、例えば５ｃｍ以上３０ｃｍ以下とすることができる。
【００２７】
（幅面パネル）
第１幅面パネル２ａ及び第２幅面パネル２ｂは矩形状かつ略同一形状に形成されている。第１幅面パネル２ａ及び第２幅面パネル２ｂの上下方向長さとしては、第１長さ面パネル１ａ及び第２長さ面パネル１ｂの上下方向長さと同じとすることができる。第１幅面パネル２ａ及び第２幅面パネル２ｂの左右方向長さとしては、箱体３０に収容する物品の大きさ等に基づいて適宜設定可能であるが、例えば１０ｃｍ以上３０ｃｍ以下とすることができる。
【００２８】
（第１蓋外フラップ）
第１蓋外フラップ３ａは、長方形状の本体１１ａと、本体１１ａの幅方向両側の先端縁から延出する一対の突片１１ｂとを有する。本体１１ａと一対の突片１１ｂとの間の境界線には折り曲げ容易線が形成されていてもよい。本体１１ａには、幅方向に横断する折り曲げ容易線は形成されていないことが好ましい。本体１１ａの幅は、第１長さ面パネル１ａの左右方向長さと略等しい。つまり、本体１１ａの両側縁は、第１長さ面パネル１ａの両側縁から略連続して延びている。本体１１ａの先端縁は、箱体３０において第２蓋外フラップ３ｂの本体１８ａの先端縁と突き合わされる。すなわち、第１蓋外フラップ３ａの本体１１ａの延出方向長さと第２蓋外フラップ３ｂの本体１８ａの延出方向長さとの合計長さは、幅面パネル（第１幅面パネル２ａ及び第２幅面パネル２ｂ）の左右方向長さと略等しい。
【００２９】
一対の突片１１ｂの外側の側縁は、本体１１ａの側縁から連続して設けられている。これにより、当該箱用シート１０は、一対の突片１１ｂの外側の側縁を第１幅面パネル２ａ及び第２幅面パネル２ｂの内面に沿わせつつ、一対の突片１１ｂをスリット１５ａ、１５ｂに挿入しやすい。
【００３０】
突片１１ｂのエッジはアーチ状であることが好ましい。この構成によると、一対の突片１１ｂをスリット１５ａ、１５ｂに容易に挿入することができる。また特に、突片１１ｂは、円弧状又は弓形の先端縁と、この先端縁の両端部と本体１１ａの先端縁とを接続する一対の直線状の側縁とを有することが好ましい。一対の側縁は、第１蓋外フラップ３ａの延出方向と平行であることが好ましい。この構成によると、一対の突片１１ｂをスリット１５ａ、１５ｂに容易に挿入できると共に、一対の突片１１ｂのスリット１５ａ、１５ｂへの挿入状態を維持しやすい。
【００３１】
（第２蓋外フラップ）
第２蓋外フラップ３ｂは、長方形状の本体１８ａと、本体１８ａの先端縁の中央部分から延出する凸部１８ｂとを有する。本体１８ａの幅は、第２長さ面パネル１ｂの左右方向長さと略等しい。凸部１８ｂの幅は、第１蓋外フラップ３ａの一対の突片１１ｂ間の間隔以下であり、一対の突片１１ｂ間の間隔と略等しいことが好ましい。
【００３２】
（蓋内フラップ）
第１蓋内フラップ４ａ及び第２蓋内フラップ４ｂは、本体２１ａ、２１ｂと舌片１９ａ、１９ｂとを有する。舌片１９ａ、１９ｂは、本体２１ａ、２１ｂの基端側の内部領域に、第１切込み１２ａ、１２ｂ、第２切込み１３ａ、１３ｂ、第３切込み１４ａ、１４ｂ及び折り曲げ容易線１６ａ、１６ｂによって画定されている。第１切込み１２ａ、１２ｂ、第２切込み１３ａ、１３ｂ、第３切込み１４ａ、１４ｂ及び折り曲げ容易線１６ａ、１６ｂは、それぞれ直線状である。
【００３３】
図３及び図５に示すように、第３切込み１４ａ、１４ｂは、第１蓋内フラップ４ａ及び第２蓋内フラップ４ｂの基端側から先端側に向けて組立時に第２蓋外フラップ３ｂが位置する側に傾斜している。これにより、当該箱用シート１０は、第１蓋外フラップ３ａの本体１１ａに幅方向に横断する折り曲げ容易線が形成されていなくても、一対の突片１１ｂをスリット１５ａ、１５ｂに容易に挿入することができる。
【００３４】
第１蓋内フラップ４ａ及び第２蓋内フラップ４ｂの基端縁に対する第３切込み１４ａ、１４ｂの傾斜角度αの下限としては、４５°が好ましく、６０°がより好ましい。上記傾斜角度αが上記下限に満たないと、一対の突片１１ｂがスリット１５ａ、１５ｂに挿入された組立状態で、一対の突片１１ｂがスリット１５ａ、１５ｂから抜けやすくなるおそれがある。一方、上記傾斜角度αの上限としては、例えば８０°とすることができる。上記傾斜角度αが上記上限を超えると、突片１１ｂのスリット１５ａ、１５ｂへの挿入が容易でなくなるおそれがある。
【００３５】
折り曲げ容易線１６ａ、１６ｂは、第１蓋内フラップ４ａ及び第２蓋内フラップ４ｂの基端側から先端側に向けて組立時に第２蓋外フラップ４ｂが位置する側に傾斜している。これにより、第３切込み１４ａ、１４ｂと折り曲げ容易線１６ａ、１６ｂとが同じ方向に傾斜することとなり、第３切込み１４ａ、１４ｂと折り曲げ容易線１６ａ、１６ｂとの間隔が両端部に亘って適度に均一に保たれる。その結果、当該箱用シート１０は、一対の突片１１ｂにより舌片１９ａ、１９ｂを内側に押し込みつつ、一対の突片１１ｂをスリット１５ａ、１５ｂに挿入しやすい。また、シートの反力を利用して一対の突片１１ｂを第１蓋内フラップ４ａ及び第２蓋内フラップ４ｂの本体２１ａ、２１ｂと舌片１９ａ、１９ｂとの間に挟み込みやすい。
【００３６】
第１切込み１２ａ、１２ｂは第２切込み１３ａ、１３ｂよりも長いことが好ましい。図３に示すように、一対の突片１１ｂは、幅方向外側の先端部分がスリット１５ａ、１５ｂに挿入された後、第１蓋内フラップ４ａ及び第２蓋内フラップ４ｂの本体２１ａ、２１ｂと舌片１９ａ、１９ｂとに挟まれつつスリット１５ａ、１５ｂ中に挿入されてゆく。当該箱用シート１０は、第１切込み１２ａ、１２ｂが第２切込み１３ａ、１３ｂよりも長いことで、一対の突片１１ｂの幅方向外側に対応する部分における舌片１９ａ、１９ｂの突出長さを比較的大きくすることができ、一対の突片１１ｂのスリット１５ａ、１５ｂへの挿入の容易化を図ることができる。また、当該箱用シート１０は、一対の突片１１ｂの幅方向内側に対応する部分における舌片１９ａ、１９ｂの突出長さを比較的小さくすることで、一対の突片１１ｂを、スリット１５ａ、１５ｂに挿入した状態で本体２１ａ、２１ｂと舌片１９ａ、１９ｂとによって挟持しやすい。
【００３７】
第１蓋内フラップ４ａ及び第２蓋内フラップ４ｂの基端縁に対する折り曲げ容易線１６ａ、１６ｂの傾斜角度βは、第１蓋内フラップ４ａ及び第２蓋内フラップ４ｂの基端縁に対する第３切込み１４ａ、１４ｂの傾斜角度αよりも小さいことが好ましい。この構成によると、一対の突片１１ｂの幅方向外側に対応する部分における舌片１９ａ、１９ｂの突出長さを比較的大きくし、一対の突片１１ｂのスリット１５ａ、１５ｂへの挿入の容易化を図ることができる。また、一対の突片１１ｂの幅方向内側に対応する部分における舌片１９ａ、１９ｂの突出長さを比較的小さくすることで、一対の突片１１ｂを、スリット１５ａ、１５ｂに挿入した状態で本体２１ａ、２１ｂと舌片１９ａ、１９ｂとによって挟持することができ、一対の突片１１ｂのスリット１５ａ、１５ｂからの抜けを抑制しやすい。
【００３８】
＜利点＞
当該箱用シート１０は、第１蓋外フラップ３ａに設けられる一対の突片１１ｂをスリット１５ａ、１５ｂに挿入することで、一対の突片１１ｂを第１蓋内フラップ４ａ及び第２蓋内フラップ４ｂの本体２１ａ、２１ｂと舌片１９ａ、１９ｂとの間に挟み込むことができる。また、当該箱用シート１０は、第３切込み１４ａ、１４ｂが、第１蓋内フラップ４ａ及び第２蓋内フラップ４ｂの基端側から先端側に向けて組立時に第２蓋外フラップ３ｂが位置する側に傾斜しているので、一対の突片１１ｂを第３切込み１４ａ、１４ｂのエッジに沿って挿入しやすい。そのため、当該箱用シート１０は、第１蓋外フラップ３ａに幅方向に横断する折り目を設けなくても、第１蓋外フラップ３ａを第１蓋内フラップ４ａ及び第２蓋内フラップ４ｂに容易に係合することができる。これにより、当該箱用シート１０は、箱体３０の蓋部３３の強度を維持しやすい。
【００３９】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４０】
例えば箱体の底部を形成するための具体的な構成は特に限定されるものではない。当該箱用シートは、一対の長さ面パネルの下縁から延出する一対の底外フラップの先端縁同士を突き合せることで底部を形成するものであってもよく、いわゆるアメリカンロックタイプ等の底部を形成するものであってもよい。
【００４１】
上記第１切込み及び第２切込みの端部同士に接続される上述の折り曲げ容易線は、蓋内フラップの基端側から先端側に向けて組立時に第２蓋外フラップが位置する側に傾斜していない構成とすることも可能である。
【００４２】
上記第１切込みの上記第２切込みに対する長さは特に限定されるものではない。
【００４３】
上記蓋内フラップの基端縁に対する上記折り曲げ容易線の傾斜角度は、上記蓋内フラップの基端縁に対する上記第２切込みの傾斜角度以上とすることも可能である。
【００４４】
上記突片の具体的形状は特に限定されるものではない。例えば上記突片のエッジはアーチ状に限定されない。
【産業上の利用可能性】
【００４５】
以上のように、本考案の一態様に係る箱用シートは、物品の保管、運搬用として適している。
【符号の説明】
【００４６】
１ａ  第１長さ面パネル
１ｂ  第２長さ面パネル
２ａ  第１幅面パネル
２ｂ  第２幅面パネル
３ａ  第１蓋外フラップ
３ｂ  第２蓋外フラップ
４ａ  第１蓋内フラップ
４ｂ  第２蓋内フラップ
５ａ  第１底外フラップ
５ｂ  第２底外フラップ
６ａ  第１底内フラップ
６ｂ  第２底内フラップ
７  糊代
１０  箱用シート
１１ａ  本体
１１ｂ  突片
１２ａ、１２ｂ  第１切込み
１３ａ、１３ｂ  第２切込み
１４ａ、１４ｂ  第３切込み
１５ａ、１５ｂ  スリット
１６ａ、１６ｂ  折り曲げ容易線
１７ａ、１７ｂ  折り曲げ片
１８ａ  本体
１８ｂ  凸部
１９ａ、１９ｂ  舌片
２１ａ、２１ｂ  本体
３０  箱体
３１  胴部
３２  底部
３３  蓋部
α  蓋内フラップの基端縁に対する第３切込みの傾斜角度
β  蓋内フラップの基端縁に対する折り曲げ容易線の傾斜角度
【図１】
0003226503.tif 000003
【図２】
0003226503.tif 000004
【図３】
0003226503.tif 000005
【図４】
0003226503.tif 000006
【図５】
0003226503.tif 000007